(57)【要約】【課題】背凭れを調整できるようにした椅子における背凭れの取付構造において、背杆よりも左右幅を小さく形成でき、コンパクトで見栄えの良い取付部を形成できるとともに、取付部を簡素な構造とすることで製造コストを低減できる椅子における背凭れの取付構造を提供すること。【解決手段】背凭れ６には、その下部に座体５の下方に向かって延設された左右一対の背杆１１ｂが設けられ、両背杆１１ｂにおける互いに対向する対向面１４には、両背杆１１ｂの長手方向に沿って突設された嵌合突条１５が形成されており、座体５には、その下方側に取付部７が設けられ、取付部７の左右両側に、両嵌合突条１５を長手方向に摺動可能に嵌合する被嵌合部２３を形成して両背杆１１ｂが取り付けられる。【選択図】図５
2008023194.tif 000002
【特許請求の範囲】
【請求項１】
背凭れを、座体に対して移動可能に取り付けることで、該背凭れを調整できるようにした椅子における背凭れの取付構造において、
前記背凭れには、その下部に前記座体の下方に向かって延設された左右一対の背杆が設けられ、該両背杆における互いに対向する対向面には、該両背杆の長手方向に沿って突設された嵌合突条が形成されており、
前記座体には、その下方側に取付部が設けられ、該取付部の左右両側に、前記両嵌合突条を長手方向に摺動可能に嵌合する被嵌合部を形成して前記両背杆が取り付けられることを特徴とする椅子における背凭れの取付構造。
【請求項２】
前記嵌合突条の上面には、複数の係合凹部を前記嵌合突条の長手方向に並設するとともに、前記取付部内には、左右一対の前記係合凹部に同時に係合できる係合凸部が形成された係合部材が、前記嵌合突条の上方に配置されており、該係合部材を上下動させる移動手段が前記取付部に設けられていることを特徴とする請求項１に記載の椅子における背凭れの取付構造。
【請求項３】
前記係合部材が、前記対向面同士の離間幅内に納まる寸法に形成されることを特徴とする請求項２に記載の椅子における背凭れの取付構造。
【請求項４】
前記移動手段を操作する操作部が、前記座体の下面側に設けられていることを特徴とする請求項２または３に記載の椅子における背凭れの取付構造。
【発明の詳細な説明】
【技術分野】
【０００１】
本発明は、背凭れを座体に対して移動可能に取り付けることで、背凭れを調整できるようにした椅子における背凭れの取付構造に関する。
【背景技術】
【０００２】
従来、背もたれ部（背凭れ）の下部に形成された２本の湾曲されたアーム（背杆）を介して幅広の支持体（背杆）を一体的に形成し、この支持体を摺動可能に嵌合保持できる嵌合保持体（取付部）を座部（座体）の後部に設けることで、背もたれ部を座部に取り付けられるようにした椅子の背もたれ調節装置があり、この背もたれ調節装置では、嵌合保持体を前低後高に所定角度だけ傾斜させることで、背もたれ部を前後動及び上下動させるようにし、座部の前後方向の広さ及び背もたれ部の高さ調節を可能にしている（例えば、特許文献１参照）。
【０００３】
【特許文献１】実用新案登録第２５９６９２９号公報（第２頁、第１図）
【発明の開示】
【発明が解決しようとする課題】
【０００４】
しかしながら、特許文献１に記載の椅子の背もたれ調節装置にあっては、嵌合保持体（取付部）左右幅を幅広の支持体（背杆）の左右幅よりも大きく形成しなければならず、見栄えが悪いばかりか、支持体には凹溝部や突条部を形成し、嵌合保持体にも、支持体の凹溝部や突条部にそれぞれ嵌合できる凹溝部や突条部を形成する等、複雑な加工を施さなければならず、椅子の製造コストが嵩んでしまうという問題がある。
【０００５】
本発明は、このような問題点に着目してなされたもので、背凭れを調整できるようにした椅子における背凭れの取付構造において、背杆よりも左右幅を小さく形成でき、コンパクトで見栄えの良い取付部を形成できるとともに、取付部を簡素な構造とすることで製造コストを低減できる椅子における背凭れの取付構造を提供することを目的とする。
【課題を解決するための手段】
【０００６】
前記課題を解決するために、本発明の請求項１に記載の椅子における背凭れの取付構造は、
背凭れを、座体に対して移動可能に取り付けることで、該背凭れを調整できるようにした椅子における背凭れの取付構造において、
前記背凭れには、その下部に前記座体の下方に向かって延設された左右一対の背杆が設けられ、該両背杆における互いに対向する対向面には、該両背杆の長手方向に沿って突設された嵌合突条が形成されており、
前記座体には、その下方側に取付部が設けられ、該取付部の左右両側に、前記両嵌合突条を長手方向に摺動可能に嵌合する被嵌合部を形成して前記両背杆が取り付けられることを特徴としている。
この特徴によれば、取付部の左右幅を一対の背杆の左右幅よりも小さく形成でき、コンパクトで見栄えの良い取付部を形成できるとともに、取付部が座体の下方側に配置されるため、取付部が見え難くなり、かつ背杆に形成された嵌合突条と、取付部に形成された被嵌合部という簡素な構造で、背杆を取付部に取り付けられるようになり、椅子の製造コストを低減できる。
【０００７】
本発明の請求項２に記載の椅子における背凭れの取付構造は、請求項１に記載の椅子における背凭れの取付構造であって、
前記嵌合突条の上面には、複数の係合凹部を前記嵌合突条の長手方向に並設するとともに、前記取付部内には、左右一対の前記係合凹部に同時に係合できる係合凸部が形成された係合部材が、前記嵌合突条の上方に配置されており、該係合部材を上下動させる移動手段が前記取付部に設けられていることを特徴としている。
この特徴によれば、移動手段によって係合部材を上下動させるだけで、係合部材の係合凸部が、左右一対の係合凹部に確実に係脱されるようになり、左右一対の背杆を取付部に対して同時に、摺動不能な状態に安定して固定させることができる。
【０００８】
本発明の請求項３に記載の椅子における背凭れの取付構造は、請求項２に記載の椅子における背凭れの取付構造であって、
前記係合部材が、前記対向面同士の離間幅内に納まる寸法に形成されることを特徴としている。
この特徴によれば、取付部の左右幅の寸法を抑えることができ、コンパクトで見栄えの良い取付部を形成できる。
【０００９】
本発明の請求項４に記載の椅子における背凭れの取付構造は、請求項２または３に記載の椅子における背凭れの取付構造であって、
前記移動手段を操作する操作部が、前記座体の下面側に設けられていることを特徴としている。
この特徴によれば、座体の下面側は着座者が着席中に操作し難い部位となっており、着席中に操作部を操作したりして、不用意に背凭れが座体に対して移動してしまうことを防げるようになる。
【発明を実施するための最良の形態】
【００１０】
本発明に係る椅子における背凭れの取付構造を実施するための最良の形態を実施例に基づいて以下に説明する。
【実施例】
【００１１】
本発明の実施例を図面に基づいて説明すると、先ず図１は、実施例における椅子を示す斜視図であり、図２は、椅子を後下方から見たときの取付部と背杆を示す斜視図であり、図３は、背凭れを低位置に調整した状態の椅子を示す縦断側面図であり、図４は、背凭れを高位置に調整した状態の椅子を示す縦断側面図であり、図５は、図４における取付部を示すＡ−Ａ断面図である。以下、図３及び図４の紙面左側を椅子１の前方側（正面側）として説明する。
【００１２】
図１に示すように、本実施例における椅子１の各部概要について説明すると、脚体２から立設された支柱４上に座体５が取り付けられ、この座体５の後方位置には、背凭れ６が配置されている。この背凭れ６は、背枠１０と背杆１１と背シート体１２とからなり、背杆１１が取付部７に取り付けられることで、背凭れ６が座体５に取り付けられる。尚、背凭れ６は、後述するように前下方と後上方とにかけて移動調整できるようになっている。
【００１３】
図３及び図４に示すように、本実施例の椅子１は、成長期にある子ども用の椅子であり、背凭れ６は、座体５に対して着座者の荷重によって後方に撓むようになっている。また、背凭れ６が座体５に対して移動可能に取り付けられ、この背凭れ６が、前下方と後上方とにかけて摺動して、着座者の体型に合わせて調整できるようになっている。
【００１４】
脚体２は、その上端に支柱４の下部が連結されて、脚体２が支柱４を中心に平面視で放射状に延びている。更に、脚体２の下端には、床面と直交方向に枢着されたキャスタ３が水平方向に回転可能に設けられている。そのため椅子１が床面を自在に移動できるようになっている。また、背凭れ６が取り付けられた座体５は、支柱４の軸方向に対し回動自在に軸支されており、座体５を水平方向に回動させることができる。
【００１５】
また、支柱４は、入れ子式の分割構造に設けられ、その軸方向に伸縮自在となっている。そのため支柱４上に取り付けた座体５は、後述する背凭れ６の摺動による調整とは独立して、支柱４の伸縮により脚体２に対して高さを調整できる。即ち、背凭れ６の摺動と支柱４の伸縮とを夫々行うことにより、子どもの成長に合わせて、座体５の高さや背凭れ６の配置位置を適宜調整できる。
【００１６】
次に、背凭れ６について詳述する。図２に示すように、背凭れ６は、上枠杆１０ａと左右枠杆１０ｂ，１０ｂと下枠杆１０ｃにより構成されて中央に開口Ｋを有する背枠１０と、背枠１０の開口Ｋを塞ぐ背シート体１２と（図１参照）、下枠杆１０ｃの左右方向の略中央部から前下方に延設されているとともに、座体５の取付部７に取り付けされる左右一対の背杆１１と、からなる。
【００１７】
また、図３及び図４に示すように、背枠１０は、左右枠杆１０ｂ，１０ｂの上下方向の略中央部を、側面視前向き凸のく字状の屈曲部１０ｄを有し、屈曲部１０ｄより上方が後方に撓むようにしている。背杆１１は、背枠１０と一体的に可撓性材料としてのプラスチックにより成型されるとともに、下枠杆１０ｃの略前面（前下方）から延設されている。
【００１８】
背枠１０は、左右枠杆１０ｂにおける前後方向の厚みが、下枠杆１０ｃから上枠杆１０ａに近づくに従って小さくなっている。すなわち下枠杆１０ｃ及び左右枠杆１０ｂにおける下枠杆１０ｃの近傍の前後方向の厚みが、上枠杆１０ａ及び左右枠杆１０ｂにおける上枠杆１０ａの近傍の前後方向の厚みと比べて大きくなっており、主に屈曲部１０ｄを境に、左右枠杆１０ｂにおける撓み剛性が、下枠杆１０ｃに近づくにつれて強く、かつ上枠杆１０ａに近づくにつれて弱くなる構成となっている。そのため着座者が背凭れ６に荷重をかけた際に、上枠杆１０ａ及び左右枠杆１０ｂの上部が撓みやすくなっており、背凭れ６のクッション性を高められるばかりか、下枠杆１０ｃ及び左右枠杆１０ｂの下部が撓み難くなっており、特に、背凭れ６に加わる荷重が集中する下枠杆１０ｃにおける背杆１１が延設された部位を強固に形成できる。
【００１９】
背杆１１について説明すると、背杆１１は、背枠１０の下枠杆１０ｃから前下方に向けて傾斜した傾斜部１１ａと、この傾斜部１１ａに連続して延設されるとともに傾斜部１１ａより緩やかで、かつ床面に対し特定角度（４５度未満）として略２４度にて傾斜した延設部１１ｂと、を備えている。この背凭れ６は、特定角度に沿って延設部１１ｂが、その延設方向に摺動することで、前下方と後上方とにかけて調整可能となっている。
【００２０】
次に、取付部７における背杆１１の取付構造について、図３における部分拡大図、及び図５を参照して説明する。左右一対をなす背杆１１の延設部１１ｂには、延設部１１ｂ同士が互いに対向する対向面１４（内側面）に、延設部１１ｂの長手方向に沿って突設された嵌合突条１５が形成されている。
【００２１】
また、嵌合突条１５の上面には、嵌合突条１５の長手方向に沿って並べられる複数の溝状の係合凹部１６が形成されている。尚、溝状の係合凹部１６は、嵌合突条１５を側方から見たときに、複数の係合凹部１６が緩やかな曲線によって波打つように形成されている（図３部分拡大図参照）。更に、嵌合突条１５の下面には、嵌合突条１５の長手方向に沿って延びる係合突条１７が突設されている（図５参照）。
【００２２】
図５に示すように、取付部７は、座体５の下面側に設けられた取付金具１８と、この取付金具１８に４本のボルト１９によって固着された取付基部２０と、取付金具１８と取付基部２０との間に配置される係合部材２１と、この係合部材２１を上下動させる本実施例における移動手段としての操作部材２２と、からなる。
【００２３】
取付基部２０は略箱体形状をなし、左右一対の延設部１１ｂ（背杆１１）の間の左右幅内に納まる寸法に形成されている。また、取付基部２０の左右両側には、延設部１１ｂの嵌合突条１５が嵌合される被嵌合部２３が形成されている。尚、被嵌合部２３は、断面視で略コ字形状をなす側方に開口する凹部として形成されている。また、被嵌合部２３の下面側には、前述した嵌合突条１５の係合突条１７に係合される被係合片２４が形成されている。
【００２４】
図３における部分拡大図に示すように、取付基部２０には、被嵌合部２３の前後方向の略中央部が切り欠かれた切欠部２５が形成されており、この切欠部２５内に前述した係合部材２１が配置されている。図５に示すように、係合部材２１は長手が左右方向に延びる板状をなすとともに、延設部１１ｂの対向面１４同士の離間幅内に納まる寸法に形成されている。
【００２５】
また、係合部材２１の下面には、嵌合突条１５に形成された係合凹部１６係合される１条の係合凸部２６が下方に向かって凸設されている。この係合凸部２６は、係合凹部１６の形状と補形をなすように側面視で半円形状に膨出されている（図３部分拡大図参照）。
【００２６】
尚、係合凸部２６は、係合部材２１の長手方向に沿って形成され、嵌合突条１５の長手方向に並んで形成された係合凹部１６のうち、いずれか１つの係合凹部１６に係合されるとともに、左右一対の嵌合突条１５，１５に形成された両係合凹部１６，１６に同時に係合できる。更に、係合部材２１の中央部には、雌ネジ孔２７が形成されている（図５参照）。
【００２７】
図５に示すように、操作部材２２は、係合部材２１の雌ネジ孔２７に螺合される本実施例における螺合部材としての雄ネジ部２８を有し、この雄ネジ部２８の下端には、本実施例における操作部としての操作摘み２９が設けられている。操作摘み２９を回動操作することにより、係合部材２１を取付基部２０内で上下動させることができる。尚、この操作摘み２９は座体５の下方側に突出するように設けられている（図２参照）。
【００２８】
調整者が背凭れ６を調整する際には、操作摘み２９を回動操作して係合部材２１を上方に移動させる。係合部材２１が上方に移動されると、係合凸部２６が係合凹部１６から外れるので、嵌合突条１５は被嵌合部２３内を摺動することができる。この状態で調整者が背凭れ６を掴んで前下方と後上方との間を移動させ、椅子１の着座者の体型に合わせた位置に背凭れ６を配置することができる。
【００２９】
背凭れ６を固定する際には、操作摘み２９を回動操作して係合部材２１を下方に移動させる。係合部材２１が下方に移動されると、係合凸部２６が係合凹部１６に係合されので、嵌合突条１５は被嵌合部２３内を摺動不能な状態に安定して固定される。
【００３０】
尚、複数の係合凹部１６が緩やかな曲線によって波打つように形成され、その係合凹部１６と補形をなすように係合凸部２６が形成されていることで、長年の使用により係合凹部１６と係合凸部２６との係脱が繰り返されることで生じる係合凹部１６の破損等が防止され、かつ背杆１１及び係合部材２１の製造時に、係合凹部１６と係合凸部２６との間に多少の製造誤差が発生しても、係合凹部１６と係合凸部２６とがぐらつくことなく係合されるようになる。更に尚、背杆１１の係合突条１７が取付基部２０の被係合片２４に係合されることで、背杆１１が取付部７に固定された際に、背杆１１の左右方向のぐらつきを抑えることができる。
【００３１】
以上、本実施例における椅子１における背凭れ６の取付構造では、座体５の下方に向かって延設された左右一対の延設部１１ｂ，１１ｂが設けられ、両延設部１１ｂ，１１ｂにおける互いに対向する対向面１４には、両延設部１１ｂ，１１ｂの長手方向に沿って突設された嵌合突条１５，１５が形成されており、座体５の下方側に設けられた取付部７の左右両側に、両嵌合突条１５，１５を長手方向に摺動可能に嵌合する被嵌合部２３，２３を形成することで、取付部７の左右幅を一対の両延設部１１ｂ，１１ｂの左右幅よりも小さく形成でき、コンパクトで見栄えの良い取付部７を形成できる。また、取付部７が座体５の下方側に配置されるため、取付部７が見え難くなる。更に、両延設部１１ｂ，１１ｂに形成された嵌合突条１５と、取付部７に形成された被嵌合部２３，２３という簡素な構造で、延設部１１ｂ，１１ｂを取付部７に取り付けられるようになり、椅子１の製造コストを低減できる。
【００３２】
また、延設部１１ｂにおける嵌合突条１５の上面には、複数の係合凹部１６を嵌合突条１５の長手方向に並設するとともに、取付部７内には、左右一対の係合凹部１６，１６に同時に係合できる係合凸部２６が形成された係合部材２１が、嵌合突条１５の上方に配置されており、係合部材２１を上下動させる操作部材２２が取付部７に設けられていることで、操作部材２２によって係合部材２１を上下動させるだけで、係合部材２１の係合凸部２６が、左右一対の係合凹部１６，１６に確実に係脱されるようになり、左右一対の背杆１１を取付部７に対して同時に、かつ摺動不能な状態に安定して固定させることができる。
【００３３】
また、係合部材２１が、対向面１４同士の離間幅内に納まる寸法に形成されることで、取付部７の左右幅の寸法を抑えることができ、コンパクトで見栄えの良い取付部７を形成できる。
【００３４】
また、本実施例の椅子１のように、着座者が子どもである場合などには、操作摘み２９を着座中に操作し易い部位に設けると、子どもが不用意に操作してしまう頻度が多くなるが、操作部材２２を操作するための操作摘み２９を、座体５の下面側に設けることで、座体５の下面側は着座者が着席中に操作し難い部位となっており、着席中に操作摘み２９を操作したりして、不用意に背凭れ６が座体５に対して移動してしまうことを防げるようになる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、本発明の椅子における背凭れの取付構造が、成長期にある子ども用の椅子１に適用されているが、背凭れ６を構成する背枠１０の下方に延設された背杆１１が、座体５の下方に設けられた取付部７に取り付けられるものであれば、事務用など一般の成人が使用する椅子に適用してもよい。
【図面の簡単な説明】
【００３７】
【図１】実施例における椅子を示す斜視図である。
【図２】椅子を後下方から見たときの取付部と背杆を示す斜視図である。
【図３】背凭れを低位置に調整した状態の椅子を示す縦断側面図である。
【図４】背凭れを高位置に調整した状態の椅子を示す縦断側面図である。
【図５】図４における取付部を示すＡ−Ａ断面図である。
【符号の説明】
【００３８】
１                椅子
５                座体
６                背凭れ
７                取付部
１０              背枠
１０ａ            上枠杆
１０ｂ            左右枠杆
１０ｃ            下枠杆
１０ｄ            屈曲部
１１              背杆
１１ａ            傾斜部
１１ｂ            延設部
１２              背シート体
１４              対向面
１５              嵌合突条
１６              係合凹部
２０              取付基部
２１              係合部材
２２              操作部材（移動手段）
２３              被嵌合部
２６              係合凸部
２７              雌ネジ孔
２８              雄ネジ部（螺合部材）
２９              操作摘み（操作部）
【図１】
2008023194.tif 000003
【図２】
2008023194.tif 000004
【図３】
2008023194.tif 000005
【図４】
2008023194.tif 000006
【図５】
2008023194.tif 000007